(57)【要約】【課題】本発明の課題は、収容された携帯電話等の携帯機器を容易に取出すことのできる携帯機器収容具に関するものである。【解決手段】本発明に係る携帯機器収容具は、収容具本体１００が、内部に携帯機器を収容可能な空間部と、該空間部に携帯機器を挿脱するための取出口とを有する携帯機器収容具であって、前記収容具本体１００の外側に表出した表出部２０３と、空間部に収容された携帯機器Ａの底部に当接する当接部２０１とが設けられており、前記表出部２０３が把持者によって引っ張られることにより、前記当接部２０１が空間部内の携帯機器Ａを取出口側に押し出すように設けられていることを特徴とする。【選択図】図３
2005143988.tif 000002
【特許請求の範囲】
【請求項１】
収容具本体が、内部に携帯機器を収容可能な空間部と、該空間部に携帯機器を挿脱するための取出口とを有する携帯機器収容具であって、
前記収容具本体の外側に表出した表出部と、空間部に収容された携帯機器の底部に当接する当接部とが設けられており、
前記表出部が引っ張られることにより、前記当接部が空間部内の携帯機器を取出口側に押し出すように設けられていることを特徴とする携帯機器収容具。
【請求項２】
収容具本体が、内部に携帯機器を収容可能な空間部と、該空間部に携帯機器を挿脱するための取出口とを有する携帯機器収容具であって、
前記収容具本体の外側に表出した表出部と、空間部に収容された携帯機器の底部に当接する当接部とを有する紐状体が設けられており、
該紐状体は、前記当接部よりも表出部の反対側において、収容具本体に対して移動規制状態であり、この移動規制状態の部位よりも前記表出部側が自由端に設けられていることを特徴とする携帯機器収容具。
【請求項３】
請求項２記載の携帯機器収容具であって、
前記収容具本体には、携帯機器の挿脱方向に平行な側壁に開口が形成されており、
該開口は、挿脱方向の中央位置よりも底部側に形成されており、
該開口から前記紐状体の表出部が表出していることを特徴とする携帯機器収容具。
【請求項４】
請求項１乃至３の何れかに記載の携帯機器収容具であって、
互いに係脱することにより収容された携帯機器の取出口からの離脱を規制する一対の係止部を有しており、
一方の係止部は、前記表出部に設けられていることを特徴とする携帯機器収容具。
【請求項５】
収容具本体が、内部に携帯機器を収容可能な空間部と、該空間部に携帯機器を挿脱するための取出口とを有する携帯機器収容具であって、
前記収容具本体の空間部に収容された携帯機器の底部に当接する当接部を有する紐状体が設けられており、
前記収容具本体は、挿脱方向に相対的に可動に設けられた第一部材及び第二部材を備えてなり、
前記紐状体は、前記当接部よりも両端側において、それぞれ第一部材及び第二部材に移動規制状態に設けられていることを特徴とする携帯機器収容具。
【請求項６】
請求項１乃至５の何れかに記載の携帯機器収容具であって、
収容具本体は、ベルトやバック等の他部材に着脱自在に取付られる取付手段を有することを特徴とする携帯機器収容具。
【発明の詳細な説明】
【技術分野】
【０００１】
本発明は、携帯機器を携帯する際に収容するための携帯機器収容具に関するものであり、より詳しくは、たとえば携帯電話機等の電子機器を収容するための携帯電話機収容具に関するものである。
【背景技術】
【０００２】
この種、携帯電話機収容具としては、収容具本体が、内部に携帯電話機を収容可能な空間部を有し、該空間部に携帯機器を挿脱するための取出口が上方に設けられ、背面側にベルトへの取付部が設けられたものが知られている。
【０００３】
かかる携帯電話機収容具にあっては、使用者の腰に装着しているベルトに前記取付部によって取付けられて、この腰に取付けられた携帯電話機収容具に携帯電話機を収容することができるものであった。そして、携帯電話機使用時には、上方の取出口から携帯電話機を取出し、使用後には再度取出口から携帯電話機を挿入して、空間部に携帯電話機を収容することができるものであった。このように不使用時には携帯電話機は空間部に収容されるため、たとえば椅子の手すり等との衝突・接触による衝撃等が緩和され、また傷つきにくいという携帯電話機の保護という利点を有するものである。
【０００４】
しかるに、かかる携帯電話機収容具にあっては、携帯電話機を深く挿入できるように設けると（空間部を深く設けると）、携帯電話機を取出す際に、取出口から指を無理やり押し込んだり、携帯電話機の一部（アンテナ等）を把持して引っ張りだす必要があり、つまり、取出しが困難になるという問題を有していた。また、引っ張りだす際に把持した携帯電話機の部位が破損する等の問題も内在している。しかも、アンテナ等の突出部が存在しない携帯機器にあっては、上述のような取出しの困難性は尚更顕著なものであった。
【０００５】
一方、携帯電話機が浅く挿入されるように設けると（空間部を浅く設けると）、携帯電話機の上部が空間部から表出するため取出しは容易になるものの、挿入が浅すぎると収容している携帯電話機が離脱落下するおそれがあり、さらには、携帯電話機が空間部から表出している部分が多いため、携帯電話機の保護という利点が減少する。
【０００６】
また、前記のような携帯電話機の取出しの容易性を考慮したものとしては、特許文献１所載のものが公知である。
【特許文献１】実登第３０３４１３８号公報
【０００７】
しかるに、かかる特許文献１所載のものは、正面壁の上縁から底部に至る切欠きが設けられているものであり、かかる部位において大きく携帯電話機が外部に表出するものであり、上記の問題は解決できていないものであった。特に、携帯電話機の中央部分が該切欠きによって表出するため、携帯電話機の中央部分の破損などにより携帯電話機の機能の喪失をも招くおそれがある。さらに、携帯電話機の高さ（上下方向の長さ）が異なると対応できず、つまりは、携帯電話機の高さが高い場合には収容できない等の問題をも有している。
【発明の開示】
【発明が解決しようとする課題】
【０００８】
本発明は、上記問題点に鑑みてなされたものであり、本発明の課題は、収容された携帯機器を容易に取出すことのできる携帯機器収容具に関するものである。
【課題を解決するための手段】
【０００９】
本発明は、上記課題を解決すべくなされたものであり、本発明に係る携帯機器収容具は、収容具本体が、内部に携帯機器を収容可能な空間部と、該空間部に携帯機器を挿脱するための取出口とを有する携帯機器収容具であって、前記収容具本体の外側に表出した表出部と、空間部に収容された携帯機器の底部に当接する当接部とが設けられており、前記表出部が引っ張られることにより、前記当接部が空間部内の携帯機器を取出口側に押し出すように設けられていることを特徴とする。
【００１０】
上記構成からなる携帯機器収容具にあっては、携帯機器の使用時に、収容具本体の外側に表出した表出部を引っ張ることで、携帯機器の底部が当接部によって取出口側に押し出され、これにより、携帯機器の天面部側が取出口から押し出された分だけ表出することになる。そして、たとえばこの表出した携帯機器の部分を把持して、携帯機器を容易に取出すことができる。
【００１１】
また、本発明に係る収容具は、収容具本体が、内部に携帯機器を収容可能な空間部と、該空間部に携帯機器を挿脱するための取出口とを有する携帯機器収容具であって、前記収容具本体の外側に表出した表出部と、空間部に収容された携帯機器の底部に当接する当接部とを有する紐状体が設けられており、該紐状体は、前記当接部よりも表出部の反対側において、収容具本体に対して移動規制状態であり、この移動規制状態の部位よりも前記表出部側が自由端に設けられていることを特徴とする。
【００１２】
上記構成からなる携帯機器収容具にあっては、携帯機器の使用時に、収容具本体の外側に表出した紐状体の表出部を引っ張ることで、携帯機器の底部が紐状体の当接部によって取出口側に押し出され、これにより、携帯機器の天面部側が取出口から押し出された分だけ表出することになる。そして、たとえばこの表出した携帯機器の部分を把持して、携帯機器を容易に取出すことができる。
【００１３】
また、上記構成からなる携帯機器収容具にあっては、前記収容具本体には、携帯機器の挿脱方向に平行な側壁に開口が形成されており、該開口は、挿脱方向の中央位置よりも底部側に形成されており、該開口から前記紐状体の表出部が表出している構成を採用することが好ましい。
【００１４】
つまり、本発明にあっては、表出部を引っ張ることによって完全に携帯機器を取出すように設けることも可能であるが、この場合には、取出し時に携帯機器が空間部から離脱する際に的確に携帯機器を把持しないと携帯機器が落下してしまうという欠点がある。このため、上記構成のように、底部を当接部によって携帯機器の半分以下押し出すように設けることが好ましい。すなわち、上記構成にあっては、開口から表出した表出した表出部を引っ張った際には、底部と当接する当接部は挿脱方向において該開口の位置までしか至らず、このため、携帯機器が半分以下で押し出されることになる。このため、上述のような取出し時における携帯機器の落下という問題を回避することが可能である。
【００１５】
また、本発明にあっては、互いに係脱することにより収容された携帯機器の取出口からの離脱を規制する一対の係止部を有しており、一方の係止部は、前記表出部に設けられている構成を採用することが好ましい。
【００１６】
該構成を採用することにより、携帯機器を収容した際に、一対の係止部を係止することにより携帯機器の不用意な離脱を規制できる。しかも、携帯機器を収容している際には、表出部に設けられた一方の係止部が他方の係止部に係止されることにより、表出部の引っ張り等も規制されることになり、不用意に引っ張り部が引っ張られて、携帯機器が押し出されることをも防止できる。
【００１７】
また、本発明に係る収容具は、収容具本体が、内部に携帯機器を収容可能な空間部と、該空間部に携帯機器を挿脱するための取出口とを有する携帯機器収容具であって、前記収容具本体の空間部に収容された携帯機器の底部に当接する当接部を有する紐状体が設けられており、前記収容具本体は、挿脱方向に相対的に可動に設けられた第一部材及び第二部材を備えてなり、前記紐状体は、前記当接部よりも両端側において、それぞれ第一部材及び第二部材に移動規制状態に設けられていることを特徴とする。
【００１８】
上記構成からなる携帯機器収容具にあっては、携帯機器の使用時に、第一部材及び第二部材を挿脱方向に相対的に移動することで、この第一部材及び第二部材にそれぞれ両端側が移動規制状態にある紐状体の当接部によって携帯機器の底部が取出口側に押し出され、これにより、携帯機器の天面部側が取出口から押し出された分だけ表出することになる。そして、たとえばこの表出した携帯機器の部分を把持して、携帯機器を容易に取出すことができる。
【００１９】
また、本発明にあっては、収容具本体は、ベルトやバック等の他部材に着脱自在に取付られる取付手段を有する構成を採用することが好ましい。これにより、ベルトやバック等に取付手段を介して取付けることにより、容易に携帯することができるとともに、不要時には収容具本体をベルト等から離脱しておくことができる。なお、該取付手段は、前記表出部が表出する部位（開口の形成部位）の対向する側に設けることが好ましく、具体的には、前記表出部が正面側より表出する場合には該取付部が背面側に設けられることが好ましい。
【００２０】
なお、本発明にあっては、上記した携帯機器の「底部」とは、挿入時に取出口から挿入される部位を意味し、たとえば、空間部の上方に取出口が設けられている場合には、携帯機器の下側の部分を意味する。また、携帯機器としては、たとえば、ビデオカメラ等のカメラ等も含まれる。
【発明を実施するための最良の形態】
【００２１】
以下、本発明を実施するための最良の形態について説明する。
【実施例１】
【００２２】
まず、本発明の実施例１の携帯電話機収容具について図面を用いて説明する。なお、図１は、実施例１の携帯電話機収容具の概略構成を説明するための正面図である。図２及び図３は、同実施例１の携帯電話機収容具の概略的側面断面図（図１のＸ−Ｘ線矢視断面図）であり、図２は、収容状態を示し、図３は取出状態を示す。
【００２３】
実施例１における携帯電話機収容具は、二つ折りの携帯電話機Ａを収容する空間部を備えた収容具本体１００と、該収容具本体１００に収容された携帯電話機Ａの底部に当接する当接部２０１を有する紐体２００とを備えている。なお、本実施例において、収容される携帯電話機Ａは、二つ折りのものに限定されるものではなく、たとえば、表示部を構成する部材が操作部を構成する部材と互いに水平方向に回動するタイプのものであっても適用することが可能である。
【００２４】
前記収容具本体１００は、上面が開放した有底状に形成されており、この開放された上面が、携帯電話機Ａを挿脱するための取出口として機能することになる。
【００２５】
また、該収容具本体１００は、背面に、ベルトやバック等の他部材に着脱自在に取付られる取付手段１０１を有している。より詳述すると、該収容具本体１００は、空間部の正面側及び背面側に位置する略板状の正面部材１０３及び背面部材１０４と、該正面部材１０３及び背面部材１０４に固定された側面部材１０５と、前記背面部材１０４の背面側に固定された前記取付手段としての取付部材１０１とから構成されている。
【００２６】
ここで、前記正面部材１０３は背面部材１０４よりも若干上下方向に短く設けられており、具体的には、背面部材１０４は携帯電話機Ａよりも上下方向に大きく設けられ、正面部材１０３は携帯電話機Ａよりも上下方向小さく設けられている。
【００２７】
また、正面部材１０３には、該正面部材１０３の上下方向（携帯電話機Ａの挿脱方向）の中途部より下方側に開口１０３ａが穿設されており、該開口１０３ａには後述する紐体２００の一部（表出部２０３）が表出している。
【００２８】
前記背面部材１０４の背面側に設けられた取付部材１０１は、上端が背面部材１０４に固定され、下端側において背面部材１０４に着脱可能に取付けられている。そして、取付部材１０１の中途部と背面部材１０４との間に利用者の着用するベルト等が介在されることにより、収容具本体１００はベルト等に取付けられることになる。なお、取付部材１０１の下端と背面部材１０４とは、たとえばボタン１０１ａ等の公知手段によって着脱可能に取付けられている。
【００２９】
また、側面部材１０５は、携帯電話機Ａの両側のみならず底部に亘って設けられており、該側面部材１０５は、弾性復元力を有する部材（たとえば弾性を有する布地）から形成されており、携帯電話機Ａの収容時には、この弾性復元力によって正面部材１０３及び背面部材１０４が携帯電話機Ａ側に収縮するように設けられている。
【００３０】
前記紐体２００は、収容具本体１００の空間部内において携帯電話機Ａの底部に当接する当接部２０１の一端側が、収容具本体１００の正面部材１０３の開口１０３ａから外部に表出する表出部２０３として設けられており、該紐体２００の表出部２０３側は自由端として設けられている。このため、表出部２０３が把持者によって引っ張られることにより、当接部２０１が空間部内の携帯電話Ａを取出口側に押し出すように設けられている。
【００３１】
また、該紐体２００は、前記当接部２０１よりも表出部２０３の他端側において、背面部材１０４の内面に固着されている。ここで、紐体２００は、前記開口１０３ａに対向する部位において背面部材１０４に固定され、上面開口部付近まで固定されている。さらに、紐体２００は、該固定部分よりさらに上方に延設され、その端部２０５は自由端として設けられている。
【００３２】
また、紐体２００は、前記表出部２０３、及び、前記固定部分よりも上方側の自由端の端部２０５に、互いに係合可能な係合部材２１０（係止部）がそれぞれ取付けられている。該紐体２００は、前記係合部材２１０が互いに係合することにより、空間部に収容された携帯電話機Ａの上部と当接し、不用意な落下を防止できるように設けられている。なお、表出部２０３側の係合部材２１０は、紐体２００における位置を調節可能に取付けられており、他方の係合部材２１０は、紐体２００の端部に固定状態に取付けられており、表出部２０３側の係合部材２１０の位置を調節することにより携帯電話機Ａの大きさに対応することが可能に設けられている。
なお、図示例にあっては、一方の係合部材２１０の突起が他方の係合部材２１０に形成された凹部に嵌まり込むことにより、一対の係合部材２１０の係合状態が得られるものを例示しているが、その他、面ファスナー等の種々の係合部材を採用することが可能である。なお、図示の係合部材２１０以外の部材から係止部を構成する場合にあっても、図示例の係合部材２１０のように、係止部は、係合状態における空間部の大きさが可変に設けられ、携帯電話機Ａの大きさに対応することが可能に設けられていることが好ましい。
また、本実施例においては、係合部材２１０を一本の紐体２００の両端付近に取付けたものについて説明したが、一対の係合部材２１０のうち、表出部２０３側ではない係合部材２１０を別の紐体に取付ける等の設計変更は適宜可能な事項である。
【００３３】
本実施例の携帯電話機収容具にあっては、背面部材１０４と取付部材１０１との隙間部分にベルト等を通すことにより、利用者の身体に取付けられ、携帯電話機Ａを上面開口部（取出口）から挿入して、収容具本体１００の空間部に携帯電話機Ａを収容して用いられる。そして、この収容状態においては、紐体２００に取付けられた一対の係合部材２１０を係合させることにより、紐体２００が携帯電話機Ａの上部側に位置するため、不用意な携帯電話機Ａの離脱が阻止されている。
【００３４】
また、この収容状態の携帯電話機Ａを取出す際には、前記係合部材２１０の係合状態を解除して、紐体２００の表出部２０３を引っ張ると、紐体２００の当接部２０１が上方に移動するため、これに当接している携帯電話機Ａが上方に押し出されることになる。なお、この表出部２０３を引っ張った際には、紐体２００の当接部２０１は、開口１０３ａの形成位置までしか上昇せず、このため、携帯電話機Ａは半分以下しか押し出されず、このため表出部２０３を引っ張った際に不用意に携帯電話機Ａが飛びだし、落下することを防止できる。
【００３５】
そして、上記のように押し出された携帯電話機Ａの上部を両側から挟持して、上方に引き出すことにより、携帯電話機Ａを取出すことができる。
【００３６】
また、携帯電話機Ａを収容するに際しては、携帯電話機Ａを上面開口部から挿入すると、携帯電話機Ａの底部が紐体２００の当接部２０１を押し下げ、携帯電話機Ａが所定位置に収容された後に、紐体２００の一対の係合部材２１０を係合することにより、携帯電話機Ａを安定した状態で収容することができる。
【実施例２】
【００３７】
次に、本発明に係る実施例２の携帯電話機収容具について図面を参酌しつつ以下説明する。なお、図４は、本発明の実施例２の携帯電話機収容具の概略構成を説明するための正面図、図５は、同背面図である。図６及び図７は、同実施例２の携帯電話機収容具の概略的側面断面図（図５のＹ−Ｙ線矢視断面図）であり、図６は、収容状態を示し、図７は取出状態を示す。なお、実施例２の説明において、実施例１と同一の構成及び機能を有する部分については説明を省略することがある。
【００３８】
本実施例の携帯電話機収容具は、携帯電話機Ａを収容する空間部を備えた収容具本体１００と、該収容具本体１００に収容された携帯電話機Ａの底部に当接する当接部２０１を有する紐体２００とを備えている。なお、本実施例においては、収容具本体１００は、空間部の背面側に位置する略板状の背面部材１０４と、空間部の正面、側面及び底面に位置する正面部材１０３とから構成されている。
【００３９】
また、本実施例においては、紐体２００は、前記当接部２０１の一端側（正面側の端部側）が、収容具本体１００（の正面部材１０３の内面）に固定されており、この固定部分よりも端部側が自由端として設けられている。そして、この自由端は、正面部材１０３の開口１０３ａから外部に表出しており、その表出した部位に一方の係合部材２１０が取付けられている。
【００４０】
また、該紐体２００は、前記当接部２０１の他端側（背面側の端部）において、自由端として形成されており、その自由端の端部には、他方の係合手段２１０が取付けられている。ここで、一対の係合手段２１０のうちの一方は、紐体２００に対して位置調節可能に設けられている。
【００４１】
また、紐体２００は、前記当接部２０１よりも他端側において、背面部材１０４に形成された開口１０４ａから外部に表出し、この表出した部位が本発明における表出部２０３として機能することになる。また、この開口１０４ａから表出した表出部２０３は、背面部材１０４の背面側に設けられたスライド部１０４ｂにスライド可能に挿入されている。ここで、該スライド部１０４ｂは、前記開口１０４ａよりも上方において横方向に配され、両端が背面部材１０４ｂに固定された紐部材等から構成することができる。なお、前記表出部２０３が表出する開口１０４ａは、背面部材１０４の上下方向の中途部より若干下方に形成されている。
【００４２】
また、紐体２００には、首掛けストラップ３００等の他部材に着脱自在に取付られる取付手段２２０が設けられており、該取付手段２２０は、背面側の紐体２００に設けられている。具体的には、紐体２００は、前記表出部２０３において、前記係止部材２１０の手前に例えばリング状の金具等からなる取付部材２２０が取付けられており、該リング状金具２２０に首掛けストラップ３００が着脱可能に取付けられている。
【００４３】
本実施例の携帯電話機収容具にあっては、前記取付部材２２０に首掛けストラップ３００を取付けることにより、利用者の身体に取付けられ、携帯電話機Ａを上面開口部から挿入して、収容具本体１００の空間部に携帯電話機Ａを収容して用いられる。そして、この収容状態においては、紐体２００に取付けられた一対の係合部材２１０を係合させることにより、紐体２００が携帯電話機Ａの上部と当接し、不用意な携帯電話機Ａの離脱が阻止されている。
【００４４】
また、この収容状態の携帯電話機Ａを取出す際には、前記係合部材２１０の係合状態を解除して、紐体２００の表出部２０３を引っ張ると、紐体２００の当接部２０１が上方に移動するため、これに当接している携帯電話機Ａが上方に押し出されることになる。なお、本実施例にあっては、紐体２００の表出部２０３に他部材（首掛けストラップ３００）との取付部材２２０を設けたため、表出部２０３を引っ張るに際しては、首掛けストラップ３００を首に掛けたまま、収容具本体１００を下方に引き下げることにより、表出部２０３が相対的に上方に引っ張ることができるので、極めて容易に携帯電話機Ａを引き上げることができる。
【００４５】
そして、上記のように押し出された携帯電話機Ａの上部を両側から挟持して、上方に引き出すことにより、携帯電話機Ａを取出すことができる。
【００４６】
また、携帯電話機Ａを収容するに際しては、携帯電話機Ａを上面開口部から挿入すると、携帯電話機Ａの底部が紐体２００の当接部２０１を押し下げ、携帯電話機Ａが所定位置に収容された後に、紐体２００の一対の係合部材２１０を係合することにより、携帯電話機Ａを安定した状態で収容することができる。
【実施例３】
【００４７】
次に、本発明に係る実施例３の携帯電話機収容具について図面を参酌しつつ以下説明する。なお、図８は、本発明の実施例３の携帯電話機収容具の概略構成を説明するための側面断面図である。図９及び図１０は、同実施例３の携帯電話機収容具の概略的側面断面図であり、図９は、収容状態を示し、図１０は取出状態を示す。なお、実施例３の説明において、実施例１又は実施例２と同一の構成及び機能を有する部分については説明を省略することがある。
【００４８】
本実施例の携帯電話機収容具は、携帯電話機Ａを収容する空間部を備えた収容具本体１００と、該収容具本体１００に収容された携帯電話機Ａの底部に当接する当接部２０１を有する紐体２００とを備えている。
【００４９】
本実施例においては、前記収容具本体１００は、挿脱方向に相対的に可動に設けられた第一部材１１０及び第二部材１２０を備えている。ここで、第一部材１１０は、背面側に実施例１と同様の取付手段１０１を有する第一背面部１１１と、該第一背面部１１１に一定隙間をもって配された第一正面部１１２とが、第一側部１１３及び第一底部１１４によって連結され、全体として上面開口の有底状に形成されている。なお、該第一部材１１０は、硬質合成樹脂によって一体成形されたものを用いることができる。
【００５０】
また、前記第一背面部１１１は、実施例１の背面部材と同様に携帯電話機Ａよりも上下方向若干大きく設けられ、第一正面部１１２は、携帯電話機Ａよりも上下方向小さく設けられており、第一正面部１１２の上縁は、収容された携帯電話機Ａの上下方向の中央位置よりも下方に位置するように設けられている。
【００５１】
また、該第一部材１１０及び第二部材１２０には、互いにスライドするスライド部（溝部及び突起）が設けられており、一方のスライド部（図示省略）は、第一部材１１０の第一側部１１３の外面に上下方向に設けられている。
【００５２】
また、第二部材１２０は、第一部材１１０の正面側に配され、前記第一正面部１１２の正面側に位置する第二正面部１２２と、前記第一側部１１３の側方に位置する第二側部１２３と、第一底部１１４の底部に位置する第二底部１２４とが一体に形成されている。なお、該第二部材１２０も硬質合成樹脂により一体成形されたものが用いられ、第二側部１２３には、前記スライド部（突起１２３ａ）が形成されている。
【００５３】
前記紐体２００は、当接部２０１よりも一端側が前記第二部材１２０に固定され、当接部２０１よりも他端側が前記第一部材１１０に固定されている。より詳述すると、紐体２００の一端側が、第一部材１１０の第一正面部１１２の上縁から表出し、第二部材１２０の第二正面部１２２の内面に固定されており、他端側が、第一部材１１０の第一背面部１１１の内面に固定されている。
【００５４】
本実施例の携帯電話機収容具にあっては、実施例１と同様に、第一背面部１１１と取付部材１０１との隙間部分にベルト等を通すことにより、利用者の身体に取付けられ、携帯電話機Ａを上面開口部から挿入して、収容具本体１００の空間部に携帯電話機Ａを収容して用いられる。
【００５５】
そして、この収容状態の携帯電話機Ａを取出す際には、第一部材１１０に対して第二部材１２０を下方に移動させることにより、第二部材１２０に固定された紐体２００の端部が下方に引っ張られるため、紐体２００の当接部２０１が上方に移動し、これに当接している携帯電話機Ａが上方に押し出されることになる。このように上方に押し出された携帯電話機Ａの上部を両側から挟持して、上方に引き出すことにより、携帯電話機Ａを取出すことができる。
【００５６】
また、携帯電話機Ａを収容するに際しては、携帯電話機Ａを上面開口から挿入すると、携帯電話機Ａの底部が紐体２００の当接部２０１を押し下げるため、第二部材１２０が上方にスライドして、携帯電話機Ａが第一部材１１０と第二部材１２０との間に携帯電話機Ａが完全に収容されることになる。
【００５７】
なお、本発明にあっては、上記各実施例のものに限定されるものではなく、本発明の意図する範囲内において適宜設計変更可能である。つまり、上記各実施例においては、収容する携帯機器として所謂二つ折りの携帯電話機Ａに対応するものについて説明したが、たとえばストレート型の携帯電話機や、また、ビデオカメラやカメラ等の携帯機器の収容具としても利用することが可能である。
【００５８】
また、上記実施例１及び実施例３においては、取付手段１０１によってベルト等に着脱自在に設けたものについて説明したが、たとえば、上記実施例のものを被服やバックに固着することも本発明の意図する範囲内である。
【００５９】
さらに、上記実施例１及び実施例２にあっては、紐体２００の両端に着脱自在な係合手段２１０を設けたものについて説明したが、本発明はこれに限定されず、また、紐体２００の表出部に上記係合手段を設けた場合にあっても、該係合手段に係合する部材を紐体２００の他端に設けず、例えば収容具本体１００に設けることも適宜設計変更可能な事項である。なお、紐体２００に係合部材２１０を設けた場合には、互いに係合する係合部材２１０のうち少なくとも一方の係合部材２１０が位置調節可能に設けられていることが好ましく、これにより種々の大きさの携帯機器に対応することが可能となる。
【００６０】
また、各実施例において各部材の素材を説明したが、各部材の素材は適宜設計変更可能である。
【図面の簡単な説明】
【００６１】
【図１】本発明の実施例１の携帯電話機収容具の概略構成を説明するための正面図である。
【図２】同実施例１の携帯電話機収容具の概略的側面断面図である。
【図３】同実施例１の携帯電話機収容具の概略的側面断面図である。
【図４】本発明の実施例２の携帯電話機収容具の概略構成を説明するための正面図である。
【図５】同実施例２の携帯電話機収容具の背面図である。
【図６】同実施例２の携帯電話機収容具の概略的側面断面図である。
【図７】同実施例２の携帯電話機収容具の概略的側面断面図である。
【図８】本発明の実施例３の携帯電話機収容具の概略構成を説明するための側面断面図である。
【図９】同実施例３の携帯電話機収容具の概略的側面断面図である。
【図１０】同実施例３の携帯電話機収容具の概略的側面断面図である。
【符号の説明】
【００６２】
１００  収容具本体
１０１  取付手段
１０１ａ  ボタン
１０３  正面部材
１０３ａ  開口
１０４  背面部材
１０４ａ  開口
１０４ｂ  スライド部
１０５  側面部材
１１０  第一部材
１２０  第二部材
２００  紐体
２０１  当接部
２０３  表出部
２０５  他方の端部
２１０  係合部材
２２０  取付手段
【図１】
2005143988.tif 000003
【図２】
2005143988.tif 000004
【図３】
2005143988.tif 000005
【図４】
2005143988.tif 000006
【図５】
2005143988.tif 000007
【図６】
2005143988.tif 000008
【図７】
2005143988.tif 000009
【図８】
2005143988.tif 000010
【図９】
2005143988.tif 000011
【図１０】
2005143988.tif 000012